(57)【要約】【課題】複数の記録フォーマットで記録可能な記録媒体に複数の映像信号方式の映像信号を記録する場合に、記録媒体を初期化した記録フォーマットに合った映像信号方式で映像信号を記録できるようにする。【解決手段】光学ディスク１１１としてブランクディスクがディスクカムコーダに装着され、使用者がブランクディスクのフォーマット処理を実行した場合に、フォーマットの種類に対応しているカメラモードと、その時点で設定しているカメラモードとが一致しているか否かを検出し、不一致の場合はフォーマットの種類に合ったカメラモードに切り替えるよう促すようにしたので、ブランクディスクのフォーマットの種類とカメラモードとの組み合わせをユーザが考えることなく、フォーマット処理を実行できるようにする。【選択図】図１
2008054229.tif 000002
【特許請求の範囲】
【請求項１】
撮像手段により生成される映像信号が従う第１の映像信号方式または第２の映像信号方式を使用者の操作に応じて設定する映像信号方式設定手段と、
前記第１の映像信号方式に対応する記録フォーマット、または前記第２の映像信号方式に対応する記録フォーマットに従って記録媒体の初期化処理を行う初期化手段と、
前記初期化手段によって初期化された記録媒体の記録フォーマットに対応する映像信号方式が、前記映像信号方式設定手段によって設定された映像信号方式と一致するか否かを判定する映像信号方式判定手段と、
前記映像信号方式判定手段によって前記映像信号方式が一致していないと判定された場合に、前記記録媒体の記録フォーマットに対応する映像信号方式に設定を切り替えるように促す表示を表示部に行う切り替え督促手段とを備えることを特徴とする撮像装置。
【請求項２】
撮像手段から得られた撮像信号を用いて、第１の映像信号方式に従う第１の映像信号、または前記第１の映像信号方式とは異なる第２の映像信号方式に従う第２の映像信号を生成する映像信号生成手段と、
前記第１の映像信号を記録媒体に記録するための記録フォーマット、または前記第２の映像信号を前記記録媒体に記録するための記録フォーマットの何れか一方を使用者の操作に応じて選択する記録フォーマット選択手段と、
前記記録フォーマット選択手段により選択された記録フォーマットに従って前記記録媒体の初期化処理を行う初期化手段と、
前記初期化手段によって初期化された記録媒体の記録フォーマットに対応する映像信号方式が、前記映像信号方式設定手段によって設定された映像信号方式と一致するか否かを判定する映像信号方式判定手段と、
前記映像信号方式判定手段によって映像信号方式が一致していないと判定された場合に、前記記録媒体の記録フォーマットに対応する映像信号方式に設定を切り替えるように促す表示を表示部に行う切り替え督促手段と、
前記切り替え督促手段により促されて切り替えられた第１の映像信号または第２の映像信号を前記初期化手段によって初期化処理された記録媒体に記録する記録手段とを備えることを特徴とする撮像装置。
【請求項３】
前記切り替え督促手段は、前記記録フォーマット選択手段によって選択された記録フォーマットに対応する映像信号方式の数に応じて、表示画面を変えて前記表示部に表示することを特徴とする請求項２に記載の撮像装置。
【請求項４】
前記記録媒体は光学ディスクであり、前記記録フォーマットはファイルフォーマットと映像信号の記録方式との組み合わせからなる記録フォーマットであることを特徴とする請求項１〜３の何れか１項に記載の撮像装置。
【請求項５】
前記第１の映像信号及び第２の映像信号はそれぞれ、解像度が互いに異なることを特徴とする請求項２に記載の撮像装置。
【請求項６】
前記第１の映像信号及び第２の映像信号はそれぞれ、圧縮方式が互いに異なることを特徴とする請求項２に記載の撮像装置。
【請求項７】
前記第１の映像信号及び第２の映像信号はそれぞれ、圧縮率が互いに異なることを特徴とする請求項２に記載の撮像装置。
【請求項８】
撮像手段により生成される映像信号が従う第１の映像信号方式または第２の映像信号方式を使用者の操作に応じて設定する映像信号方式設定工程と、
前記第１の映像信号方式に対応する記録フォーマット、または前記第２の映像信号方式に対応する記録フォーマットに従って記録媒体の初期化処理を行う初期化工程と、
前記初期化工程において初期化された記録媒体の記録フォーマットに対応する映像信号方式が、前記映像信号方式設定工程において設定された映像信号方式と一致するか否かを判定する映像信号方式判定工程と、
前記映像信号方式判定工程において前記映像信号方式が一致していないと判定された場合に、前記記録媒体の記録フォーマットに対応する映像信号方式に設定を切り替えるように促す表示を表示部に行う切り替え督促工程とを備えることを特徴とする撮像装置の制御方法。
【請求項９】
撮像手段から得られた撮像信号を用いて、第１の映像信号方式に従う第１の映像信号、または前記第１の映像信号方式とは異なる第２の映像信号方式に従う第２の映像信号を生成する映像信号生成工程と、
前記第１の映像信号を記録媒体に記録するための記録フォーマット、または前記第２の映像信号を前記記録媒体に記録するための記録フォーマットの何れか一方を使用者の操作に応じて選択する記録フォーマット選択工程と、
前記記録フォーマット選択工程において選択された記録フォーマットに従って前記記録媒体の初期化処理を行う初期化工程と、
前記初期化工程において初期化された記録媒体の記録フォーマットに対応する映像信号方式が、前記映像信号方式設定工程において設定された映像信号方式と一致するか否かを判定する映像信号方式判定工程と、
前記映像信号方式判定工程において映像信号方式が一致していないと判定された場合に、前記記録媒体の記録フォーマットに対応する映像信号方式に設定を切り替えるように促す表示を表示部に行う切り替え督促工程と、
前記切り替え督促工程において促されて切り替えられた第１の映像信号または第２の映像信号を前記初期化工程において初期化処理された記録媒体に記録する記録工程とを備えることを特徴とする撮像装置の制御方法。
【請求項１０】
前記切り替え督促工程においては、前記記録フォーマット選択工程において選択された記録フォーマットに対応する映像信号方式の数に応じて、表示画面を変えて前記表示部に表示することを特徴とする請求項９に記載の撮像装置の制御方法。
【請求項１１】
前記記録媒体は光学ディスクであり、前記記録フォーマットはファイルフォーマットと映像信号の記録方式との組み合わせからなる記録フォーマットであることを特徴とする請求項８〜１０の何れか１項に記載の撮像装置の制御方法。
【請求項１２】
前記第１の映像信号及び第２の映像信号はそれぞれ、解像度が互いに異なることを特徴とする請求項９に記載の撮像装置の制御方法。
【請求項１３】
前記第１の映像信号及び第２の映像信号はそれぞれ、圧縮方式が互いに異なることを特徴とする請求項９に記載の撮像装置の制御方法。
【請求項１４】
前記第１の映像信号及び第２の映像信号はそれぞれ、圧縮率が互いに異なることを特徴とする請求項９に記載の撮像装置の制御方法。
【請求項１５】
撮像手段により生成される映像信号が従う第１の映像信号方式または第２の映像信号方式を使用者の操作に応じて設定する映像信号方式設定工程と、
前記第１の映像信号方式に対応する記録フォーマット、または前記第２の映像信号方式に対応する記録フォーマットに従って記録媒体の初期化処理を行う初期化工程と、
前記初期化工程において初期化された記録媒体の記録フォーマットに対応する映像信号方式が、前記映像信号方式設定工程において設定された映像信号方式と一致するか否かを判定する映像信号方式判定工程と、
前記映像信号方式判定工程において前記映像信号方式が一致していないと判定された場合に、前記記録媒体の記録フォーマットに対応する映像信号方式に設定を切り替えるように促す表示を表示部に行う切り替え督促工程とを備える撮像装置の制御方法をコンピュータに実行させることを特徴とするプログラム。
【請求項１６】
撮像手段から得られた撮像信号を用いて、第１の映像信号方式に従う第１の映像信号、または前記第１の映像信号方式とは異なる第２の映像信号方式に従う第２の映像信号を生成する映像信号生成工程と、
前記第１の映像信号を記録媒体に記録するための記録フォーマット、または前記第２の映像信号を前記記録媒体に記録するための記録フォーマットの何れか一方を使用者の操作に応じて選択する記録フォーマット選択工程と、
前記記録フォーマット選択工程において選択された記録フォーマットに従って前記記録媒体の初期化処理を行う初期化工程と、
前記初期化工程において初期化された記録媒体の記録フォーマットに対応する映像信号方式が、前記映像信号方式設定工程において設定された映像信号方式と一致するか否かを判定する映像信号方式判定工程と、
前記映像信号方式判定工程において映像信号方式が一致していないと判定された場合に、前記記録媒体の記録フォーマットに対応する映像信号方式に設定を切り替えるように促す表示を表示部に行う切り替え督促工程と、
前記切り替え督促工程において促されて切り替えられた第１の映像信号または第２の映像信号を前記初期化工程において初期化処理された記録媒体に記録する記録工程とを備える撮像装置の制御方法をコンピュータに実行させることを特徴とするプログラム。
【請求項１７】
請求項１５または１６に記載のプログラムを記憶したことを特徴とするコンピュータ読み取り可能な記憶媒体。
【発明の詳細な説明】
【技術分野】
【０００１】
本発明は撮像装置、撮像装置の制御方法、プログラム及び記憶媒体に関し、特に、光学ディスクをはじめとするフォーマットを必要とする記録媒体に映像、音声を記録するために用いて好適な技術に関する。
【背景技術】
【０００２】
映像と音声とを記録するカムコーダとして、記録媒体に光学ディスク（ディスク）を利用したビデオカムコーダ（以下、ディスクカムコーダ）が知られている。こうしたディスクカムコーダでは、物理フォーマットの異なるディスクを検出し、その種類に応じて異なる記録方式で記録するためのディスクフォーマット処理を行い、ビデオ信号を記録する技術がある（例えば、特許文献１参照）。
【０００３】
ディスクカムコーダのディスクとしては、ＤＶＤ−Ｒ、ＤＶＤ−ＲＷなど様々な種類がある。例えば、ＤＶＤ−Ｒではディスクフォーマットとしてビデオフォーマット（以下、Ｖｉｄｅｏフォーマット）があり、ＤＶＤ−ＲＷであれば、Ｖｉｄｅｏフォーマットもしくはビデオレコーディングフォーマット（以下、ＶＲフォーマット）が選択可能である。
【０００４】
また、ディスクカムコーダにおいて、記録開始の段階でディスクがフォーマットされていなければ、映像及び音声信号を一時メモリに保存し、その間に自動的に所定のディスクフォーマット処理を行う。そして、前記処理を行った後、一時メモリの情報をディスクへ記録開始する技術がある（例えば、特許文献２参照）。
【０００５】
さらに、ディスクへ記録するためには、記録データをファイルとして扱うためファイルシステムが必要であり、フォーマットの際はファイルフォーマット処理も必要となる。光学ディスクはＵＤＦ（Ｕｎｉｖｅｒｓａｌ  Ｄｉｓｋ  Ｆｏｒｍａｔ）形式のファイルを採用しており、ＤＶＤ−Ｒ、ＤＶＤ−ＲＷはＵＤＦ２．０のファイルフォーマットに対応している。
【０００６】
このようにディスクカムコーダでは、映像や音声をディスクへ記録する前に、ファイルフォーマット処理とディスクフォーマット処理を行い、ディスクへのデータ書き込みを可能にしておく必要がある。
【０００７】
【特許文献１】特開２００３−７８８７４号公報
【特許文献２】特開２００５−２４３０７１号公報
【発明の開示】
【発明が解決しようとする課題】
【０００８】
ハイビジョン規格（ＨＤＴＶ）のような高品位の映像、音声をディスクへ記録する場合、ディスクカムコーダでは携帯性や小型化を考慮すると、従来の８ｃｍサイズのディスクより大きなサイズのディスクを利用することは難しい。そのため、例えば、ＭＰＥＧ４−ＡＶＣ（Ｈ．２６４）規格のように圧縮効率の高いコーデックを使うことで、ビットレートの向上を抑えつつ、従来サイズのディスクに高品位の映像、音声を記録することが可能である。ただし、現行のＤＶＤ記録のファイルフォーマットであるＵＤＦ２．０はＨＤＴＶの映像、音声の規格に対応していないため、これらに対応した新しいファイルフォーマットが必要となる。
【０００９】
しかしながら、長時間記録を行う場合には、映像の解像度を標準規格（ＳＤＴＶ）まで落としたり、圧縮率を落としたりする等、低ビットレートの圧縮を行う必要がある。また、他の再生装置での再生を考慮した場合、ＳＤＴＶの解像度で現行のＭＰＥＧ２による圧縮方式を用いたＤＶＤ記録として記録することで互換性が得られやすい。
【００１０】
その結果、ディスクカムコーダでは、ディスクのファイルフォーマットとディスクフォーマットと映像（音声）の規格が各々複数存在する。このため、それぞれの組み合わせを適切に選択しないと映像や音声をＤＶＤディスクに記録することができなくなってしまうという問題点があった。
【００１１】
本発明は前述の問題点に鑑み、複数の記録フォーマットで記録可能な記録媒体に複数の映像信号方式の映像信号を記録する場合に、記録媒体を初期化した記録フォーマットに合った映像信号方式で映像信号を記録できるようにすることを目的としている。
【課題を解決するための手段】
【００１２】
本発明の撮像装置は、撮像手段により生成される映像信号が従う第１の映像信号方式または第２の映像信号方式を使用者の操作に応じて設定する映像信号方式設定手段と、前記第１の映像信号方式に対応する記録フォーマット、または前記第２の映像信号方式に対応する記録フォーマットに従って記録媒体の初期化処理を行う初期化手段と、前記初期化手段によって初期化された記録媒体の記録フォーマットに対応する映像信号方式が、前記映像信号方式設定手段によって設定された映像信号方式と一致するか否かを判定する映像信号方式判定手段と、前記映像信号方式判定手段によって前記映像信号方式が一致していないと判定された場合に、前記記録媒体の記録フォーマットに対応する映像信号方式に設定を切り替えるように促す表示を表示部に行う切り替え督促手段とを備えることを特徴とする。
また、本発明の撮像装置の他の特徴とするところは、撮像手段から得られた撮像信号を用いて、第１の映像信号方式に従う第１の映像信号、または前記第１の映像信号方式とは異なる第２の映像信号方式に従う第２の映像信号を生成する映像信号生成手段と、前記第１の映像信号を記録媒体に記録するための記録フォーマット、または前記第２の映像信号を前記記録媒体に記録するための記録フォーマットの何れか一方を使用者の操作に応じて選択する記録フォーマット選択手段と、前記記録フォーマット選択手段により選択された記録フォーマットに従って前記記録媒体の初期化処理を行う初期化手段と、前記初期化手段によって初期化された記録媒体の記録フォーマットに対応する映像信号方式が、前記映像信号方式設定手段によって設定された映像信号方式と一致するか否かを判定する映像信号方式判定手段と、前記映像信号方式判定手段によって映像信号方式が一致していないと判定された場合に、前記記録媒体の記録フォーマットに対応する映像信号方式に設定を切り替えるように促す表示を表示部に行う切り替え督促手段と、前記切り替え督促手段により促されて切り替えられた第１の映像信号または第２の映像信号を前記初期化手段によって初期化処理された記録媒体に記録する記録手段とを備えることを特徴とする。
【００１３】
本発明の撮像装置の制御方法は、撮像手段により生成される映像信号が従う第１の映像信号方式または第２の映像信号方式を使用者の操作に応じて設定する映像信号方式設定工程と、前記第１の映像信号方式に対応する記録フォーマット、または前記第２の映像信号方式に対応する記録フォーマットに従って記録媒体の初期化処理を行う初期化工程と、前記初期化工程において初期化された記録媒体の記録フォーマットに対応する映像信号方式が、前記映像信号方式設定工程において設定された映像信号方式と一致するか否かを判定する映像信号方式判定工程と、前記映像信号方式判定工程において前記映像信号方式が一致していないと判定された場合に、前記記録媒体の記録フォーマットに対応する映像信号方式に設定を切り替えるように促す表示を表示部に行う切り替え督促工程とを備えることを特徴とする。
また、本発明の撮像装置の制御方法の他の特徴とするところは、撮像手段から得られた撮像信号を用いて、第１の映像信号方式に従う第１の映像信号、または前記第１の映像信号方式とは異なる第２の映像信号方式に従う第２の映像信号を生成する映像信号生成工程と、前記第１の映像信号を記録媒体に記録するための記録フォーマット、または前記第２の映像信号を前記記録媒体に記録するための記録フォーマットの何れか一方を使用者の操作に応じて選択する記録フォーマット選択工程と、前記記録フォーマット選択工程において選択された記録フォーマットに従って前記記録媒体の初期化処理を行う初期化工程と、前記初期化工程において初期化された記録媒体の記録フォーマットに対応する映像信号方式が、前記映像信号方式設定工程において設定された映像信号方式と一致するか否かを判定する映像信号方式判定工程と、前記映像信号方式判定工程において映像信号方式が一致していないと判定された場合に、前記記録媒体の記録フォーマットに対応する映像信号方式に設定を切り替えるように促す表示を表示部に行う切り替え督促工程と、前記切り替え督促工程において促されて切り替えられた第１の映像信号または第２の映像信号を前記初期化工程において初期化処理された記録媒体に記録する記録工程とを備えることを特徴とする。
【００１４】
本発明のプログラムは、撮像手段により生成される映像信号が従う第１の映像信号方式または第２の映像信号方式を使用者の操作に応じて設定する映像信号方式設定工程と、前記第１の映像信号方式に対応する記録フォーマット、または前記第２の映像信号方式に対応する記録フォーマットに従って記録媒体の初期化処理を行う初期化工程と、前記初期化工程において初期化された記録媒体の記録フォーマットに対応する映像信号方式が、前記映像信号方式設定工程において設定された映像信号方式と一致するか否かを判定する映像信号方式判定工程と、前記映像信号方式判定工程において前記映像信号方式が一致していないと判定された場合に、前記記録媒体の記録フォーマットに対応する映像信号方式に設定を切り替えるように促す表示を表示部に行う切り替え督促工程とを備える撮像装置の制御方法をコンピュータに実行させることを特徴とする。
また、本発明のプログラムの他の特徴とするところは、撮像手段から得られた撮像信号を用いて、第１の映像信号方式に従う第１の映像信号、または前記第１の映像信号方式とは異なる第２の映像信号方式に従う第２の映像信号を生成する映像信号生成工程と、前記第１の映像信号を記録媒体に記録するための記録フォーマット、または前記第２の映像信号を前記記録媒体に記録するための記録フォーマットの何れか一方を使用者の操作に応じて選択する記録フォーマット選択工程と、前記記録フォーマット選択工程において選択された記録フォーマットに従って前記記録媒体の初期化処理を行う初期化工程と、前記初期化工程において初期化された記録媒体の記録フォーマットに対応する映像信号方式が、前記映像信号方式設定工程において設定された映像信号方式と一致するか否かを判定する映像信号方式判定工程と、前記映像信号方式判定工程において映像信号方式が一致していないと判定された場合に、前記記録媒体の記録フォーマットに対応する映像信号方式に設定を切り替えるように促す表示を表示部に行う切り替え督促工程と、前記切り替え督促工程において促されて切り替えられた第１の映像信号または第２の映像信号を前記初期化工程において初期化処理された記録媒体に記録する記録工程とを備える撮像装置の制御方法をコンピュータに実行させることを特徴とする。
【００１５】
本発明の記憶媒体は、前記の何れかに記載のプログラムを記憶したことを特徴とする。
【発明の効果】
【００１６】
本発明によれば、記録フォーマットに対応する映像信号方式と設定された映像信号方式とが一致していない場合に、記録フォーマットに対応する映像信号方式に設定を切り替えるように促すようにした。これにより、複数のフォーマットで記録可能な記録媒体に映像の記録を行う場合に、フォーマットの種類に合った適切なカメラモードを選択することが可能となる。これにより、複数の記録フォーマットで複数の方式の映像信号を記録する場合に、記録・再生を行うことができない映像信号方式で記録媒体に映像信号を記録してしまう不都合を防止することができる。
【発明を実施するための最良の形態】
【００１７】
（第１の実施形態）
以下、本発明の実施形態について図面を参照しながら説明する。
図１は、本実施形態において、光学ディスクを記録媒体とする撮像装置（ディスクカムコーダ）の構成例を示すブロック図である。
図１において、１０１はレンズであり、１０２は固体撮像素子であるＣＣＤ（Ｃｈａｒｇｅ  Ｃｏｕｐｌｅｄ  Ｄｅｖｉｃｅ）である。１０３は撮像信号を映像信号に変換する映像信号処理回路であり、１０４は映像信号を表示装置あるいは出力端子へ出力する映像表示出力回路である。
【００１８】
１０５は映像出力端子であり、１０６は映像表示装置であるＬＣＤ（Ｌｉｑｕｉｄ  Ｃｒｙｓｔａｌ  Ｄｉｓｐｌａｙ）である。１０７は映像信号の圧縮方式を切り替える切替回路である。１０８は規格化された圧縮方式に基づいて映像信号の圧縮処理を行う第１の映像信号圧縮回路であり、１０９は第１の映像信号圧縮回路１０８と異なる規格化された圧縮方式に基づいて映像信号の圧縮処理を行う第２の映像信号圧縮回路である。１１０は圧縮された映像信号を記録媒体へ記録する記録回路であり、１１１は記録媒体である光学ディスクである。
【００１９】
１１２は初期化要求回路であり、１１３はディスクカムコーダのシステム制御を行うマイクロコンピュータである。１１４は光学ディスク１１１を初期化する際の記録フォーマットの種別を選択する初期化選択回路であり、１１５、１１６、１１７、及び１１８はそれぞれ、光学ディスク１１１を各々異なる記録フォーマットに従って初期化する第１、第２、第３、及び第４の初期化回路である。１１９はカメラモード選択肢抽出回路、１２０はカメラモード選択回路、１２１は光学ディスク１１１を検出する記録媒体検出回路である。
【００２０】
レンズ１０１で結像した光は、ＣＣＤ１０２で光電変換され撮像信号となる。そして、撮像信号は映像信号処理回路１０３で映像信号に変換される。また、マイクロコンピュータ１１３からの指示に従い、カムコーダの状態表示や各種設定を行うためのメニュー画面の表示としてＯＳＤ（Ｏｎ  Ｓｃｒｅｅｎ  Ｄｉｓｐｌａｙ）の信号生成も行う。
【００２１】
映像信号は、映像表示出力回路１０４と切替回路１０７とへ出力される。そして、映像信号は映像表示出力回路１０４で外部出力信号となり、映像出力端子１０５を介して外部出力される。さらに、映像表示出力回路１０４はＬＣＤ１０６で映像表示を行うための制御も行う。
【００２２】
一方で、前述したように映像信号は切替回路１０７へも出力される。切替回路１０７はマイクロコンピュータ１１３からの指示に従い、入力した映像信号を第１の映像信号圧縮回路１０８または第２の映像信号圧縮回路１０９のいずれか一方に出力する。
【００２３】
第１の映像信号圧縮回路１０８と第２の映像信号圧縮回路１０９とでは互いに異なる圧縮方式で映像信号を圧縮する。第１の映像信号圧縮回路１０８での圧縮方式はＭＰＥＧ４−ＡＶＣ（Ｈ．２６４）方式であり、ＨＤＴＶの映像信号の圧縮を行う。一方、第２の映像信号圧縮回路１０９での圧縮方式はＭＰＥＧ２方式であり、ＳＤＴＶの映像信号の圧縮を行う。
【００２４】
また、映像信号処理回路１０３から出力される映像信号は、ＨＤＴＶに対応した信号であるため、第１の映像信号処理回路１０８及び第２の映像信号圧縮回路１０９は、信号の圧縮前にＨＤＴＶをＳＤＴＶへダウンコンバートするダウンコンバート回路を含む。
【００２５】
圧縮された映像信号は記録回路１１０により光学ディスク１１１に記録される。具体的には、まず記録回路１１０は映像信号を所定のデータに変換する。変換されたデータはピックアップ部（不図示）を介してレーザー光で光学ディスク１１１に記録される。その際に、光学ディスク１１１を回転するスピンドルモーター（不図示）とピックアップ部を駆動するトラッキングモーター（不図示）の駆動制御を行うモータードライバ（不図示）の制御も記録回路１１０から行われる。
【００２６】
記録時においては、ＤＶＤ−ＲやＤＶＤ−ＲＷのように光学ディスク１１１の記録層にレーザー光が照射されて情報が記録される。一方、再生時においては、記録層にレーザー光が照射され、その反射光をピックアップ部で検出して情報が取り出される（光学ディスク１１１の構造は不図示）。
【００２７】
記録媒体検出回路１２１は、光学ディスク１１１のディスク情報を読み出し、マイクロコンピュータ１１３へ出力する。マイクロコンピュータ１１３は、その結果から光学ディスク１１１が装着されているか否か、またフォーマット済みか否かを判断し、フォーマット済みであればフォーマットの種類を判断する。
【００２８】
初期化選択回路１１４は４つの初期化回路１１５〜１１８から一つを選択する。そして、第１の初期化回路１１５、第２の初期化回路１１６、第３の初期化回路１１７、及び第４の初期化回路１１８はそれぞれ異なるフォーマットで光学ディスク１１１をフォーマットする初期化データを記録回路１１０に出力する。記録回路１１０はフォーマット処理時に初期化データを光学ディスク１１１に記録し、フォーマット処理を行う。
【００２９】
初期化要求回路１１２は映像出力端子１０５から出力されて表示されたメニュー画面又はＬＣＤ１０６に表示されたメニュー画面から操作キー（不図示）により選択されたフォーマットの種別とフォーマット開始の指示とをマイクロコンピュータ１１３へ出力する。
【００３０】
カメラモード選択肢抽出回路１１９は初期化されたフォーマットに対し、記録可能なＳＤＴＶまたはＨＤＴＶのカメラモードを抽出する。カメラモード選択回路１２０は、カメラモード選択肢抽出回路１１９で抽出されたカメラモードに現在設定されているカメラモードが含まれていない場合に、映像出力端子１０５を経由してまたはＬＣＤ１０６にカメラモードの選択肢を表示する。そして、操作キーにより選択されたカメラモードをマイクロコンピュータ１１３へ出力する。
【００３１】
次に、本実施形態におけるカメラモード（記録する映像信号の方式）、映像圧縮方式、光学ディスク１１１のファイルフォーマット及び信号の記録方式の組み合わせについて説明する。
【００３２】
前述のように、ＨＤＴＶ方式の映像信号をＤＶＤディスクなどの記録媒体に記録するための民生用レコーダの規格として、近年、ＡＶＣＨＤ規格が提案された。
ＡＶＣＨＤ規格では、動画の圧縮方式としてＭＰＥＧ４−ＡＶＣ（Ｈ．２６４）方式を用いる。また、光学ディスクに対して記録する際のファイルフォーマットとしてＵＤＦ２．５を用いている。
【００３３】
本実施形態では、記録フォーマットとして、ＤＶＤ規格及びＡＶＣＨＤ規格の２種類の記録フォーマットを選択することができる。
ＤＶＤは動画の圧縮方式としてＭＰＥＧ２方式を用い、光学ディスク１１１のファイルフォーマットとしてＵＤＦ２．０を用いている。また、カメラモードとしてはＳＤＴＶの解像度の記録に対応している。
【００３４】
従って、記録フォーマットの違いはファイルフォーマットの違いに等しい。また、各記録フォーマットはともに光学ディスク１１１への記録の際に、ＶｉｄｅｏフォーマットまたはＶＲフォーマットのディスクフォーマットの選択が可能である。
【００３５】
図２は、各カメラモード、記録フォーマット、ディスクフォーマットの組み合わせで記録可能な構成を示す図である。なお、「○」が記録可能な組み合わせを示し、「×」が記録不可能な組み合わせを示している。
【００３６】
図２に示すように、組み合わせとしては８通りあるが、記録フォーマットとしてＤＶＤを選択した場合は、カメラモードはＳＤＴＶしか選択できない。一方で、ＡＶＣＨＤを選択した場合は、カメラモードはＨＤＴＶまたはＳＤＴＶを選択できる。このように光学ディスク１１１の記録フォーマットを決定するとカメラモードの選択肢が決定される。
【００３７】
次に、未フォーマットの光学ディスク（以下、ブランクディスク）が本実施形態のディスクカムコーダに装着された場合の、カメラモード決定までの動作について説明する。光学ディスク１１１としてブランクディスクがディスクカムコーダに装着されると、記録媒体検出回路１２１はブランクディスク上の所定の領域のデータを読み出す。そして、ファイルフォーマットの種別やフォーマットの有無などからなるディスク情報をマイクロコンピュータ１１３へ送る。
【００３８】
初期化選択回路１１４は、フォーマットを行う回路を、第１の初期化回路１１５〜第４の初期化回路１１８の中から選択する。第１の初期化回路１１５は、ＤＶＤ記録用にＵＤＦ２．０でファイルフォーマットを行い、Ｖｉｄｅｏフォーマットでディスクフォーマットを行う。第２の初期化回路１１６は、ＤＶＤ記録用にＵＤＦ２．０でファイルフォーマットを行い、ＶＲフォーマットでディスクフォーマットを行う。第３の初期化回路１１７は、ＡＶＣＨＤ記録用にＵＤＦ２．５でファイルフォーマットを行い、Ｖｉｄｅｏフォーマットでディスクフォーマットを行う。第４の初期化回路１１８は、ＡＶＣＨＤ記録用にＵＤＦ２．５でファイルフォーマットを行い、ＶＲフォーマットでディスクフォーマットを行う。本実施形態においては、このように、異なるファイルフォーマットとディスクフォーマットの組み合わせでフォーマットを行うための初期化データを出力する４つの初期化回路１１５〜１１８を備えている。なお、フォーマットの種別はマイクロコンピュータ１１３から指示される。
【００３９】
マイクロコンピュータ１１３は、ディスクカムコーダのシステム制御を行うためのコンピュータであり、制御コードや制御データテーブルからなるＲＯＭと、各種情報を一時的に記憶するためのＲＡＭとを備えている（ＲＯＭ、ＲＡＭの構成は不図示）。マイクロコンピュータ１１３は、記録媒体検出回路１２１から送られるディスク情報によりブランクディスク１１１の装着を検出するとフォーマット処理を行う。
【００４０】
その際、マイクロコンピュータ１１３は、フォーマットの種別を使用者に選択させるメニュー画面を映像出力端子１０５及びＬＣＤ１０６へ出力するためのＯＳＤデータを生成し、映像信号処理回路１０３へ出力する。さらに、初期化の結果により、カメラモードをＳＤＴＶまたはＨＤＴＶの何れかに切り替えるかを使用者に選択させるメニュー画面を映像出力端子１０５及びＬＣＤ１０６へ出力するためのＯＳＤデータを生成し、映像信号処理回路１０３へ出力する。
【００４１】
そして、使用者の選択により、カメラモードをＳＤＴＶまたはＨＤＴＶに切り替える指示を切替回路１０７へ出力する。また、メニュー画面で選択された項目は初期化要求回路１１２からフォーマットの種別及びフォーマット開始の情報としてマイクロコンピュータ１１３へ入力される。
【００４２】
次に、ブランクディスクが装着されてからマイクロコンピュータ１１３が行う処理について図３に示すフローチャートを参照しながら説明する。
光学ディスク１１１が装着されると、まずステップＳ３０１において、記録媒体検出回路１２１から入力されたディスク情報を検出し、光学ディスク１１１が挿入されたか否かを判断する。この判断の結果、光学ディスク１１１が挿入されていない場合は、挿入されたことを検出するまで待機する。一方、ステップＳ３０１の判断の結果、光学ディスク１１１が挿入された場合は、ディスク種別情報を取得してステップＳ３０２へ進む。ディスク種別情報は、ファイルフォーマットやディスクフォーマットの種別からなる情報であり、フォーマット済みの光学ディスク１１１であれば、所定の値が得られる。
【００４３】
次に、ステップＳ３０２において、ステップＳ３０１で取得したディスク種別情報からブランクディスクであるか否かを判別する。この判別の結果、ブランクディスクである場合はステップＳ３０３へ進む。一方、ステップＳ３０２の判別の結果、ブランクディスクではなくフォーマット済みディスクである場合はステップＳ３０６に進む。次に、ステップＳ３０３において、フォーマットの種別を選択し、その情報を初期化選択回路１１４に指示する。フォーマットの種別選択はメニュー画面に従って行われる。
【００４４】
フォーマット時のメニュー画面の一例を図４に示す。図４（ａ）は、フォーマットの種別を選択するメニュー画面の一例を示す図である。フォーマットの内容に応じた項目が表示され、選択されたフォーマットの選択項目４０１が反転強調表示される。また、選択された項目の詳細情報としてカメラモードの種類とディスクフォーマットの種類とに関する情報を備考欄４０２に表示することにより、使用者に対して用途に合わない（誤った）フォーマットの選択をさせないようにしている。所定のフォーマットが選択されると、フォーマット種別情報を生成し、ステップＳ３０４へ進む。
【００４５】
次に、ステップＳ３０４において、ステップＳ３０３で選択されたフォーマットの種別に従い、光学ディスク１１１に対してフォーマットを実行する。この時、フォーマットのメニュー画面は、まず図４（ｂ）に示す画面に切り替わる。図４（ｂ）に示す画面では、使用者に対しフォーマット実行の可否を選択させる。選択された項目はフォーマットの種別選択同様可否の選択項目４０３が反転強調表示される。
【００４６】
フォーマット開始が選択されると、初期化要求回路１１２はマイクロコンピュータ１１３に対して、光学ディスク１１１のフォーマット要求を出力する。そして、マイクロコンピュータ１１３は、ステップＳ３０３で生成したフォーマット種別情報を初期化選択回路１１４へ出力する。
【００４７】
例えば、図４（ａ）に示すように、ＡＶＣＨＤのＶＲモードが選択された場合は、初期化選択回路１１４内の初期化回路として第４の初期化回路１１８が選択される。そして、ＵＤＦ２．５によるファイルフォーマット、ＶＲフォーマットによるディスクフォーマットが実行される。フォーマットが実行されるとメニュー画面は、図４（ｃ）に示す画面に切り替わり、フォーマット処理の状況を経過情報４０４とともに逐次知らせる。フォーマット処理が完了するとステップＳ３０５に進む。
【００４８】
次に、ステップＳ３０５において、フォーマットの種別に対応したカメラモードを抽出する処理を行い、次のステップ３０６に進む。フォーマットの種別と対応するカメラモードについて図５に示す。例えば、ＡＶＣＨＤのＶＲモードがフォーマットとして選択されると、フォーマットの種別に対応するカメラモードはＳＤＴＶまたはＨＤＴＶである。一方、ＤＶＤのＶｉｄｅｏモードがフォーマットとして選択されると、フォーマットの種別に対応するカメラモードはＳＤＴＶのみとなる。
【００４９】
次に、ステップＳ３０６において、カメラモード選択肢抽出回路１１９で選択されている現在設定中のカメラモード情報と、ステップＳ３０５で抽出されたフォーマット種別情報に対応するカメラモードとを比較して比較結果が一致するか否かを判別する。例えば、ＡＶＣＨＤのＶＲモードがフォーマットとして選択されると、フォーマットの種別に対応するカメラモードはＳＤＴＶまたはＨＤＴＶである。そのため、カメラモード選択肢抽出回路１１９によりＨＤＴＶのカメラモードが設定されている場合は、ステップＳ３０６におけるカメラモード比較結果は一致する。
【００５０】
ステップＳ３０６の判別の結果、比較結果が一致する場合はそのまま処理を終了する。この時フォーマットのメニュー画面はフォーマット終了後、図４（ｄ）に示す表示となってからメニュー画面を終了する。
【００５１】
一方、ステップＳ３０６の判別の結果、比較結果が一致しない場合はステップＳ３０７に進む。例えば、ＤＶＤのＶｉｄｅｏモードがフォーマットとして選択され、ＨＤＴＶのカメラモードが設定されている場合は、設定されているカメラモードがフォーマットに対応するカメラモードに含まれていないため、ステップＳ３０７へ進む。
【００５２】
次に、ステップ３０７において、カメラモードの切り替えを促すメニュー画面を表示する。そして、ユーザによりカメラモードが選択され、その情報を切替回路１０７に指示する。カメラモードの選択はメニュー画面に従って行われる。カメラモード選択時のメニュー画面を図６に示す。
【００５３】
図６（ａ）は、カメラモードを選択するメニュー画面の一例を示す図である。フォーマットの内容に応じた項目が表示され、選択されたフォーマットの選択項目６０１が反転強調表示される。また、選択された項目の詳細情報としてカメラモードの種類に関する情報が備考欄６０２に表示される。その後、図６（ｂ）に示すように、ユーザに切り替え実行の可否を確認する。選択された項目は、カメラモードの選択同様に可否の選択項目６０３が反転強調表示される。
【００５４】
図６（ｃ）は、カメラモードを選択するメニュー画面の別の一例を示す図である。フォーマットの選択肢が１つしかない場合は、図６（ａ）に示すような選択をせず、切り替え可能なカメラモードの情報を提示した上で、切り替えの可否を確認する。
【００５５】
次に、ステップＳ３０８において、選択されたカメラモードに切り替える処理を行う。具体的には、切替回路１０７に対し、映像信号の出力先を対応したカメラモードの映像信号を圧縮する回路に切り替える指示を出す。例えば、図５に示すフォーマット種別情報が"２"の場合は、対応するカメラモードはＨＤＳＤであるため、映像信号が第１の映像信号圧縮回路１０８へ入力されるように切替回路１０７へ指示する。また、カメラモード選択肢抽出回路１１９の現在設定中のカメラモード情報も同様のカメラモードに再設定する。
【００５６】
前述の処理により、光学ディスク１１１としてブランクディスクが本実施形態のディスクカムコーダに装着され、使用者がブランクディスクのフォーマット処理を実行した場合に、フォーマットの種類に対応しているカメラモードと、その時点で設定しているカメラモードとが一致しているか否かを検出し、不一致の場合はフォーマットの種類に合ったカメラモードに切り替えるように促す。そのため使用者はブランクディスクのフォーマットの種類とカメラモードとの組み合わせを考えることなく、フォーマット処理を実行できる。
【００５７】
本実施形態においては、ブランクディスクが装着された際に行うフォーマット処理に関して述べているが、フォーマット済みの書き換え可能な光学ディスクに対して、再フォーマットを行う場合についても同様の処理を行うことが可能である。
【００５８】
また、本実施形態では、マイクロコンピュータ１１３から初期化選択回路１１４に対してはフォーマット種別情報を出力し、この情報と選択される初期化回路とが対となっている。一方、マイクロコンピュータ１１３から初期化選択回路１１４に対し、ファイルフォーマットの種別情報及びディスクフォーマットの種別情報の各フォーマット情報を各々出力する。そして、初期化選択回路１１４が得られた情報を組み合わせて初期化データを生成して、光学ディスク１１１のフォーマットを行うことも可能である。
【００５９】
（本発明に係る他の実施形態）
前述した本発明の実施形態における撮像装置を構成する各手段、並びに撮像装置の制御方法の各工程は、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００６０】
また、本発明は、例えば、システム、装置、方法、プログラムもしくは記録媒体等としての実施形態も可能であり、具体的には、複数の機器から構成されるシステムに適用してもよいし、また、一つの機器からなる装置に適用してもよい。
【００６１】
なお、本発明は、前述した実施形態の機能を実現するソフトウェアのプログラム（実施形態では図３に示すフローチャートに対応したプログラム）を、システムまたは装置に直接、または遠隔から供給する。そして、そのシステムまたは装置のコンピュータが前記供給されたプログラムコードを読み出して実行することによっても達成される場合を含む。
【００６２】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００６３】
その場合、プログラムの機能を有していれば、オブジェクトコード、インタプリタにより実行されるプログラム、ＯＳに供給するスクリプトデータ等の形態であってもよい。
【００６４】
プログラムを供給するための記録媒体としては、例えば、フロッピー（登録商標）ディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【００６５】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記録媒体にダウンロードすることによっても供給できる。
【００６６】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００６７】
また、その他の方法として、本発明のプログラムを暗号化してＣＤ−ＲＯＭ等の記録媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００６８】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【００６９】
さらに、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００７０】
【図１】本発明の実施形態におけるディスクカムコーダの構成例を示すブロック図である。
【図２】本発明の実施形態における記録フォーマットとカメラモードとの組み合わせを示す図である。
【図３】本発明の実施形態において、ディスクのフォーマット処理におけるマイクロコンピュータの動作手順の一例を示すフローチャートである。
【図４】本発明の実施形態において、ディスクのフォーマット処理時のメニュー画面の一例を示す図である。
【図５】本発明の実施形態におけるフォーマットの種別とカメラモードとの対応を示す図である。
【図６】本発明の実施形態において、カメラモードを選択するメニュー画面の一例を示す図である。
【符号の説明】
【００７１】
１０１  レンズ
１０２  ＣＣＤ
１０３  映像信号処理回路
１０４  映像表示出力回路
１０５  映像出力端子
１０６  ＬＣＤ
１０７  切替回路
１０８  第１の映像信号圧縮回路
１０９  第２の映像信号圧縮回路
１１０  記録回路
１１１  光学ディスク
１１２  初期化要求回路
１１３  マイクロコンピュータ
１１４  初期化選択回路
１１５  第１の初期化回路
１１６  第２の初期化回路
１１７  第３の初期化回路
１１８  第４の初期化回路
１１９  カメラモード選択肢抽出回路
１２０  カメラモード選択回路
１２１  記録媒体検出回路
４０１  選択項目
４０２  備考欄
４０３  可否の選択項目
４０４  経過情報
６０１  選択項目
６０２  備考欄
６０３  可否の選択項目
【図１】
2008054229.tif 000003
【図２】
2008054229.tif 000004
【図３】
2008054229.tif 000005
【図４】
2008054229.tif 000006
【図５】
2008054229.tif 000007
【図６】
2008054229.tif 000008